(57)【要約】【課題】小便の際に便器内に尿が収まらず、便器の外に飛び出したり、飛散したりしてトイレの床を汚すため、飛散した尿を吸収するマットをパッドとは別に床に敷いていた。そのため、別々の吸収パッドとマットを用意する必要が有り不便であった。【解決手段】本体パットは上下に機能が別れていて、上部は側壁パッドと下部は床部パッドから成り、パッドには尿を吸収する素材を用い、本体パットの上下幅の全体比率の長さとしては側壁パッドが略１／３とし床部パッドを略２／３に設定し、側壁パッドの上部には複数の切り込み部を設け、両端には便器に本体パットを固定するための取付け片を取付け、裏側には粘着紙を貼り付ける、側壁パッドと床部パッドの境目には長手方向に横断した境目部を設け、便器に本体パットを取付ける際に、床部パッドを折り曲げてスカート状にして床をカバーする役割をする洋式便器の足元パッド。【選択図】図２
2017153922.tif 000002
【特許請求の範囲】
【請求項１】
（イ）本体パット（１）は上下に機能が別れていて、上部は側壁パッド（２）と下部は床部パッド（３）から成り、パッドには尿を吸収する素材を用い、
（ロ）本体パット（１）の上下幅の全体比率の長さとしては側壁パッド（２）が略１／３とし床部パッド（３）を略２／３に設定し、
（ハ）側壁パッド（２）の上部には複数の切り込み部（４）を設け、両端には便器（５）に本体パット（１）を固定するための取付け片（６）を取付け、裏側には粘着紙（７）を貼り付け、
（ニ）側壁パッド（２）と床部パッド（３）の境目には長手方向に横断した境目部（９）を設け、便器（５）に本体パット（１）を取付ける際に、床部パッド（３）を折り曲げてスカート状にして尿の飛散から床の汚れを防止する役割をする、
以上のように構成された洋式便器の足元パッド。
【発明の詳細な説明】
【技術分野】
【０００１】  本発明は洋式便器の足元にパッドを取付け、飛散した尿等で汚れたトイレの床や便器を簡単に、掃除することが出来る、洋式便器の足元パッド。
【背景技術】
【０００２】  従来、飛散した尿や便器に垂れた尿によるトイレの汚れを防止するために、トイレマット等を床に敷く方法が一般的であった。
又、前面に吸液性を有する帯状の薄い可撓性のあるシート本体に対し、硬質で且つ小片状の差し込み側が人間の爪状に丸く形成されている差し込み部材を複数長手方向所定間隔で配置している薄型吸液性汚れ防止シート（特許文献１）や高吸水性ポリマーを基本に消臭剤を混入した構成の特殊シートである、小便雫吸収シート（特許文献２）が知られている。
【先行技術文献】
【特許文献】
【０００３】
【特許文献１】特開２００９−１５３９３４号公報
【特許文献２】登録実用新案第３０２９１８９号公報
【発明の概要】
【発明が解決しようとする課題】
【０００４】    従来のシートはこぼれた尿や飛散した尿をパッドやマットに吸い取るには、形状や取付け方法に問題があり、容量不足であった。特に男性が立った状態で小便を行うと、便器の縁に飛び散り、その尿が便器の外側から溢れ落ちて便器の周壁に伝わり流れ落ち、それを吸収するパッドを巻き吸収していた。又、それとは別に小便の際に便器内に尿が収まらず、便器の外に飛び出したり、飛散したりしてトイレの床を汚すため、飛散した尿を吸収するマットをパッドとは別に床に敷いていた。そのため、別々の吸収パッドとマットを用意する必要が有り不便であった。
【課題を解決するための手段】
【０００５】（イ）本体パット（１）は上下に機能が別れていて、上部は側壁パッド（２）と下部は床部パッド（３）から成っていて、パッドには尿を吸収する素材を用い、
（ロ）本体パット（１）の上下幅の全体比率の長さとしては側壁パッド（２）が略１／３とし床部パッド（３）を略２／３に設定し、
（ハ）側壁パッド（２）の上部には複数の切り込み部（４）を設け、両端には便器（５）に本体パット（１）を固定するための取付け片（６）を取付け、裏側には粘着紙（７）を貼り付ける、
（ニ）側壁パッド（２）と床部パッド（３）の境目には長手方向に横断した境目部（９）を設け、便器（５）に本体パット（１）を取付ける際に、床部パッド（３）を折り曲げてスカート状にして床をカバーする役割をする、
以上のように構成された洋式便器の足元パッド。
【発明の効果】
【０００６】  本発明により便器の縁から溢れる尿を側壁パッド（２）と、便器から外れて飛散する尿を床パッド（３）受けることによって、飛散する尿を吸収する役目が一体と成っているので、足元パッドを便器に簡単に取付けと取外しが出来るので、トイレの汚れを防止できる。
【図面の簡単な説明】
【０００７】
【図１】本発明の取付け使用状態図
【図２】本発明の正面図
【図３】本発明の斜視図
【発明を実施するための形態】
【０００８】  以下、本発明の実施の形態について説明する。
（イ）図２に示すように、本発明の本体パッド（１）は長手方向に延びた帯状の形状に形成されている。長手方向の長さの寸法は便器（５）の正面に対して最低半分以上の奥行を確保出来る長さが必要である。便器（５）の側壁を全周覆う必要は無い。
（ロ）本体パット（１）は上下に機能が別れていて、上部は側壁パッド（２）と下部は床部パッド（３）から成っていて、尿を吸収する素材のパッドである。
（ハ）本体パット（１）の上下幅の全体比率の長さとしては側壁パッド（２）が略１／３とし床部パッド（３）を略２／３に設定している。
（二）側壁パッド（２）の上部には複数の切り込み部（４）を設け、両端には便器（５）に本体パット（１）を固定するための取付け片（６）を取付け、裏側には粘着紙（７）が貼り付けられている。
（ホ）床部パッド（３）の下部には複数の切り込み部（８）を切り込みの深さは浅く設けてある。
（ヘ）側壁パッド（２）と床部パッド（３）の境目には長手方向に横断した境目部（９）を設け、便器（５）に本体パット（１）を取付ける際に、床部パッド（３）を折り曲げてスカート状にして尿の飛散から床の汚れを防止する役割をしている。
（ト）床部パッド（３）の幅は便器の外周より大きく設定しているが、汚れの度合いによっては、床部パッド（３）の幅を広く設定して、尿の床への飛散をカバーすることが好ましい。
本発明は以上のような構造である。
【０００９】  本発明を使用するときは、便器（５）の正面に向かって、本体パット（１）の中心を便器（１）の底部の側壁外周手前に合わせ、本体パット（１）上部の側壁パッド（２）を位置させ、側壁パッド（２）と床部パッド（３）の境目部（９）が便器（５）の底部と床面より少し高い位置になるよう取付ける。
便器（５）に本体パット（１）を固定するには、取付け片（６）の裏側の粘着紙（７）で便器（５）に固定する。便器（５）の形状はメーカーによって大きさ、形状も異なっているので、フレキシブルに取付けるため、側壁パッド（２）と床部パッド（３）には複数の切り込み部（４）と切り込み部（８）が設けられて対応している。
最近の便器の構造として、便器の縁を薄くして日常の洗浄がやり易くしているのと、縁の幅が厚いとそれだけ尿が飛散した時に、縁に尿が残るのを防止している。又、縁の幅が薄いため、逆に尿が飛散する度合いが多くなるため、床の汚れが目立つことになる。
【符号の説明】
【００１０】  １本体パット、２側壁パッド、３床部パッド、４切り込み部、５便器、６取付け片、７粘着紙、８切り込み部、９境目部
【図１】
2017153922.tif 000003
【図２】
2017153922.tif 000004
【図３】
2017153922.tif 000005